(57)【要約】【課題】    浮き体が使用者から不意に離れる問題を防止又は減少させることができる浮き体を提供する。【解決手段】使用者の前腕に係合し、少なくとも一部が水中に潜入することで使用者に浮力を与える浮き体であって、板状部材によって形成される浮き本体部と、浮き本体部の一主表面に載置した使用者の両方の前腕の少なくとも一方に係合する、浮き本体部に別体又は一体に形成された腕係合部と、を備えてなる、浮き体である。【選択図】  図１
2010259557.tif 000002
【特許請求の範囲】
【請求項１】
使用者の前腕に係合し、少なくとも一部が水中に潜入することで使用者に浮力を与える浮き体であって、
板状部材によって形成される浮き本体部と、
浮き本体部の一主表面に載置した使用者の両方の前腕の少なくとも一方に係合する、浮き本体部に別体又は一体に形成された腕係合部と、
を備えてなる、浮き体。
【請求項２】
腕係合部は、前記少なくとも一方の前腕を貫通するよう内嵌させる腕内嵌部である、請求項１に記載の浮き体。
【請求項３】
腕内嵌部は、浮き本体部の前記一主表面に取り付けられ、前記少なくとも一方の前腕の少なくとも一部に周回されるバンドである、請求項２に記載の浮き体。
【請求項４】
使用者の腕係合部が係合した前腕に係る手によって把持される、浮き本体部に別体又は一体に形成された把持部を、さらに備えてなる、請求項１乃至３のいずれか１に記載の浮き体。
【請求項５】
把持部が、浮き本体部の前記一主表面から突出するように前記一主表面に取り付けられた突出把持部である、請求項４に記載の浮き体。
【請求項６】
突出把持部が、中心を通過しない平面により球面を切断した際の２の球冠のうち大きな方の球冠又は球の形状をなすものである、請求項５に記載の浮き体。
【請求項７】
把持部が、使用者の手の握力により使用者が認識可能な程度の変形を生じうる柔軟性を有するものである、請求項４乃至６のいずれか１に記載の浮き体。
【請求項８】
腕係合部が、使用者の両方の前腕に対応するように一対配設されるものである、請求項１乃至７のいずれか１に記載の浮き体。
【請求項９】
把持部が、使用者の両方の前腕に対応するように一対配設されるものである、請求項８に記載の浮き体。
【請求項１０】
使用者の両方の前腕が前後方向に沿って略平行に浮き本体部の前記一主表面に載置されるものである、請求項８又は９に記載の浮き体。
【請求項１１】
浮き本体部の後方の縁部よりも後方に延びる浮きである後方支持部をさらに備えてなる、請求項１乃至１０のいずれか１に記載の浮き体。
【請求項１２】
後方支持部が、使用者の体幹の前後方向の寸法の５０％以上後方に延びるものである、請求項１１に記載の浮き体。
【請求項１３】
後方支持部が、前記体幹の左右に一対存するものである、請求項１１又は１２に記載の浮き体。
【請求項１４】
浮き本体部が、それを通じて水中が視認可能な窓部を前方の縁部近傍に有するものである、請求項１乃至１３のいずれか１に記載の浮き体。
【請求項１５】
前記浮き体の移動を規制するための線材又は紐材である規制部材の一端が着脱自在に取り付けられる規制部材取付部を有するものである、請求項１乃至１４のいずれか１に記載の浮き体。
【請求項１６】
規制部材取付部が、使用者の体幹の左右に一対存するものである、請求項１５に記載の板状の浮き体。
【発明の詳細な説明】
【技術分野】
【０００１】
本発明は、浮き体に関し、より詳細には、水中での運動（リハビリテーションを含む。）、水遊び及び水泳等を行う者に、少なくとも一部が水中に潜入することで浮力を与える浮き体に関する。
【背景技術】
【０００２】
従来から、水中での運動（リハビリテーションを含む。）、水遊び及び水泳等を行う際に、それらを行う者に浮力を与えることを目的とした浮き体が多用されてきた（例えば、特許文献１等）。なお、浮き体を使用して水中での運動（リハビリテーションを含む。）、水遊び及び水泳等を行う者を、以下、「使用者」という。
【０００３】
特許文献１は、「水中の景色を見やすく、また、透明窓部が衝撃等に対する耐久性に強く、さらには、浮力板から外れて壊れるといったことのない水中覗き用透明窓を有したビート板を提供する」（特許文献１の考案の詳細な説明中の段落番号０００４）ためになされたものであり、具体的には「浮力板に水中覗き用の透明窓を設けたビート板において、水中覗き用の透明窓が、一対の透明樹脂材料でなる板状鍔部とそれと一体的に設けられた筒状部からなり、この筒状部同士は互いに嵌合し雄雌ネジにより結合されるものであり、浮力板に形成した貫通孔に浮力板の上下両面から水中覗き用の透明窓の筒状部を嵌合させると共に雄雌ネジを結合させ、板状鍔部で浮力板の上下両面を挟むようにして透明窓が浮力板に取り付けられ、浮力板には、板状鍔部の厚みと同等以上の高さの隆起部が一体に形成されているもの」（特許文献１の考案の詳細な説明中の段落番号０００５）が開示されている。
【０００４】
かかる特許文献１のビート板（本発明にいう浮き体に相当する。）によれば、「取り付けられた透明窓の板状鍔部が浮力板の上下両面よりも上下に僅かに突出するので、使用時に透明窓に水が溜まることがなく、常に水中の景色を見やすいものとなる。また、透明窓の浮力板への取り付け構成に関し、透明窓を構成する一対の筒状部同士が雄雌ネジによって結合されて、透明窓全体が、上下に板状鍔部を持ち、内部に空洞を持つ筒形状となるので、透明窓が平板のみからなる場合と比べて衝撃等に対する耐久性が強くなる。さらに、透明窓の板状鍔部で浮力板の上下両面を挟むようにして透明窓が浮力板に取り付けられるので、透明窓を安定した状態で浮力板に取り付けることが可能になる。さらにまた、浮力板に設けられた隆起部の高さが透明窓の板状鍔部の厚みと同等以上であるため、ビート板をプールサイド等に置いた場合に、隆起部によって透明窓の板状鍔部がプールサイド等と直接接触して傷が付くことを防ぐことができる」（特許文献１の考案の詳細な説明中の段落番号０００６）という効果等を奏する。
そして、特許文献１には、特許文献１のビート板において「浮力板の隆起部は、浮力板の上下両面の両側端部に前後方向に伸びるように設けられているものである。この構成においては、ユーザが両側端部の隆起部を持つことによって、ビート板を持ちやすくなると同時に、この隆起部が透明窓部に傷が付くのを防止する作用を有する」（特許文献１の考案の詳細な説明中の段落番号０００７）ものも開示されている。
【先行技術文献】
【特許文献】
【０００５】
【特許文献１】登録実用新案第３０４５６０４号公報（例えば、要約、考案の詳細な説明中の段落番号０００１〜０００７、第１図、第２図等）
【発明の概要】
【発明が解決しようとする課題】
【０００６】
確かに、特許文献１のビート板（本発明にいう「浮き体」）によれば、水中の景色を見やすく、また、透明窓部が衝撃等に対する耐久性に強いといったような効果を得られ、さらに浮力板の隆起部が、浮力板の上下両面の両側端部に前後方向に伸びるように設けられているものにあっては、使用者がビート板を持ちやすくなるという効果も奏するが、水に濡れた浮力板の隆起部は滑りやすいことから、水中での運動（リハビリテーションを含む。）、水遊び及び水泳等を行う使用者がビート板（浮き体）を持っている手からビート板（浮き体）が不意に離れ、時にはビート板（浮き体）が使用者の手の届かないところへ移動するという問題があった。かかる問題は、水中での運動（リハビリテーションを含む）、水遊び及び水泳等の活動を行う使用者が、該活動を円滑に行うことを困難にするのみならず、不安を与えたり、場合によっては該使用者が溺れることさえも生じ得る。
【０００７】
そこで、本発明では、浮き体が使用者から不意に離れる問題を防止又は減少させることができる浮き体を提供することを目的とする。
【課題を解決するための手段】
【０００８】
本発明の浮き体（以下、「本浮き体」という。）は、使用者の前腕に係合し、少なくとも一部が水中に潜入することで使用者に浮力を与える浮き体であって、板状部材によって形成される浮き本体部と、浮き本体部の一主表面に載置した使用者の両方の前腕の少なくとも一方に係合する、浮き本体部に別体又は一体に形成された腕係合部と、を備えてなる、浮き体である。
【０００９】
本浮き体は浮き本体部と腕係合部とを備えてなる。
浮き本体部は、特許文献１のビート板と同様、両主表面を有する板状部材によって形成される。かかる板状部材によって形成される浮き本体部は、主表面が水面に沿うように浮遊するので（勿論、浮き本体部は、使用者に所望程度の浮力を与えることができるように、浮き本体部全体としての比重はその周囲に存する水の比重よりも小さくなるように形成される。）、水面に対する浮き本体部の方向が所定の範囲に定まりやすく、本浮き体を使用者が安心して安全に使用することができる。
腕係合部は、浮き本体部に別体又は一体に形成され、使用者の両方の前腕のうち浮き本体部の一主表面に載置した少なくとも一方に係合する。使用者の両方の前腕の少なくとも一方（左右の前腕のうち右前腕のみの場合、左前腕のみの場合、右前腕及び左前腕の両方の場合、の３つのいずれの場合も含む）が、浮き本体部の一主表面（通常、上面）に載置された状態で腕係合部に係合される。なお、ここでは右前腕が載置され係合されると共に左前腕は載置されず係合されない場合、右前腕が載置され係合されると共に左前腕は載置され係合されない場合、右前腕が載置され係合されると共に左前腕も載置され係合される場合、左前腕が載置され係合されると共に右前腕は載置されず係合されない場合、左前腕が載置され係合されると共に右前腕は載置され係合されない場合、のいずれの場合もここでは含む（ここの説明において、「載置」は前腕が浮き本体部の一主表面に載置されることを示し、「係合」は腕係合部が前腕に係合することを意味する。）。そして、腕係合部の前腕への係合は、係合した前腕に対する浮き本体部の相対的な移動が、係合しない場合に比して制限されるものであれば足り、係合した前腕に対する浮き本体部の相対的な移動の全てを禁止する必要はなく、腕係合部の前腕への係合の例としては、前腕を挟持したり、前腕を貫通するよう内嵌させたり、前腕に当接するようなものを例示的に挙げることができる。
このような本浮き体では、板状部材によって形成される浮き本体部により水面に対する浮き本体部の方向がうまく定まると共に、浮き本体部に別体又は一体に形成された腕係合部が、浮き本体部の一主表面（通常、上面）に載置された状態の使用者の前腕の少なくとも一方に係合するので、浮き本体部が該少なくとも一方の前腕から離れにくくなることから、本浮き体によれば、使用者から本浮き体が不意に離れる問題を防止又は減少させつつ、使用者の前腕に係合し、少なくとも一部が水中に潜入することで使用者に浮力を与えることができる。
【００１０】
本浮き体における腕係合部は、前記少なくとも一方の前腕を貫通するよう内嵌させる腕内嵌部であってもよい（以下、「腕内嵌本浮き体」という。）。
浮き本体部に別体又は一体に形成された腕係合部は、浮き本体部の一主表面に載置した使用者の両方の前腕の少なくとも一方に係合するものであればよく、何ら限定されるものではないが、腕係合部が係合する前記少なくとも一方の前腕を貫通するよう内嵌させる腕内嵌部であれば、前腕が貫通状態で前腕を内嵌することで腕係合部たる腕内嵌部が係合するので、前記少なくとも一方の前腕に確実に係合することができる。
【００１１】
腕内嵌本浮き体の場合、腕内嵌部は、浮き本体部の前記一主表面に取り付けられ、前記少なくとも一方の前腕の少なくとも一部に周回されるバンドであってもよい。
浮き本体部の前記一主表面（腕係合部が係合する前記少なくとも一方の前腕が載置される一主表面（通常、上面））に取り付けられたバンドが、前記一主表面に載置された前記少なくとも一方の前腕の少なくとも一部に周回されるので、前腕の外面に沿ってバンドがうまく係合することができ、前記少なくとも一方の前腕に、より確実に係合することができる。
【００１２】
本浮き体においては、使用者の腕係合部が係合した前腕に係る手によって把持される、浮き本体部に別体又は一体に形成された把持部を、さらに備えてなるもの（以下、「把持部具備本浮き体」という。）であってもよい。
こうすることで腕係合部が係合した前腕に係る手（腕係合部が係合した前腕が右前腕であれば右手であり、腕係合部が係合した前腕が左前腕であれば左手である。）によって把持部を把持することにより、把持部の手による把持と、腕係合部による前腕への係合と、によって使用者から本浮き体が不意に離れる問題をさらに防止又は減少させることができる。
【００１３】
把持部具備本浮き体の場合、把持部が、浮き本体部の前記一主表面から突出するように前記一主表面に取り付けられた突出把持部であってもよい（以下、「突出把持部具備本浮き体」という。）。
こうすることで把持部が、浮き本体部の前記一主表面（腕係合部が係合する前記少なくとも一方の前腕が載置される一主表面（通常、上面））から突出するように前記一主表面に取り付けられた突出把持部であるので、前記一主表面に取り付けられた突出把持部を、腕係合部が係合した前腕に係る手によって容易かつ確実に把持することができ、使用者から本浮き体が不意に離れる問題を一層効果的に防止又は減少させることができる。
【００１４】
突出把持部具備本浮き体の場合、突出把持部が、中心を通過しない平面により球面を切断した際の２の球冠のうち大きな方の球冠又は球の形状をなすものであってもよい。
球面を、該球面と交わる平面で切断すると、２の球冠を生じるが、該平面が該球面の中心を通過しない場合には、大小二つの球冠を生じる。この大小二つの球冠のうち大きな方の球冠又は球の形状をなすように突出把持部を形成すれば、腕係合部が係合した前腕に係る手によって突出把持部をさらに容易かつ確実に把持することができ、使用者から本浮き体が不意に離れる問題をさらに効果的に防止又は減少させることができる。なお、中心を通過しない平面により球面を切断した際の２の球冠のうち大きな方の球冠形状をなすように突出把持部を形成する場合は、浮き本体部の前記一主表面（腕係合部が係合する前記少なくとも一方の前腕が載置される一主表面（通常、上面））に、該球面を切断する該平面がほぼ平行又は一致するように突出把持部を形成するようにすれば、一層把持しやすくなる。
【００１５】
把持部具備本浮き体の場合、把持部が、使用者の手の握力により使用者が認識可能な程度の変形を生じうる柔軟性を有するものであってもよい。
こうすることで使用者が把持部の変形を認識しつつ手を握る運動を楽しんで行うことができるので、例えば、使用者が水中での運動（リハビリテーションを含む）を行いつつ、同時に手を握る運動も楽しんで行うことができる。
【００１６】
本浮き体においては、腕係合部が、使用者の両方の前腕に対応するように一対配設されるもの（以下、「腕係合部両方具備本浮き体」という。）であってもよい。
こうすることで使用者の右前腕が浮き本体部の前記一主表面に載置された状態で腕係合部に係合されると共に、左前腕も浮き本体部の前記一主表面に載置された状態で腕係合部に係合されるので、腕係合部が使用者の前腕の両方に係合することで使用者から本浮き体が不意に離れる問題を非常に効果的に防止又は減少させることができる。
【００１７】
腕係合部両方具備本浮き体の場合、把持部が、使用者の両方の前腕に対応するように一対配設されるものであってもよい。
こうすることで腕係合部が係合した両方の前腕に係る左右の手それぞれが把持部を把持することにより、把持部の手による把持と、腕係合部による前腕への係合と、が左右両方で得られるので使用者から本浮き体が不意に離れる問題を極めて効果的に防止又は減少させることができる。
【００１８】
腕係合部両方具備本浮き体の場合、使用者の両方の前腕が前後方向に沿って略平行に浮き本体部の前記一主表面に載置されるものであってもよい。
板状部材によって形成される浮き本体部の一主表面に使用者が両方の前腕を載置する場合、使用者の両方の前腕が前後方向に沿って略平行になるようにすれば、使用者の疲れも少なくかつ浮き本体部に生じる浮力によって使用者が自分自身の上半身をうまく支えることができる。なお、前後方向とは、使用状態において本浮き体の使用者が認識する前後方向をいう。そして、両方の前腕が前後方向に沿って略平行とは、左右いずれの前腕についても、前後方向に平行な直線と前腕の長手方向に平行な直線とを、前腕が載置される前記一主表面に正投影したときに両直線の投影像（投影線）が平行であるか所定角度以内で交わることをいい、該所定角度は好ましくは３０度であり、より好ましくは２０度であり、最も好ましくは１５度である。
【００１９】
本浮き体においては、浮き本体部の後方の縁部よりも後方に延びる浮きである後方支持部をさらに備えてなるもの（以下、「後方支持部具備本浮き体」という。）であってもよい。
こうすることで使用者の体幹（腹部又は胸部）の前面に面する浮き本体部の後方の縁部よりも後方に延びる後方支持部が存するので、本浮き体の使用者が後方に回動するように倒れることを、後方支持部の浮力によって防止又は減少させるとができ、本浮き体を安心して安全に使用することができる。なお、後方支持部は浮き本体部と別体又は一体のいずれであってもよいが、一体に形成すれば後方支持部を浮き本体部と別個に形成し浮き本体部に取り付ける必要がなく、本浮き体のコスト低減や構成の簡素化に資することができる。
【００２０】
後方支持部具備本浮き体の場合、後方支持部が、使用者の体幹の前後方向の寸法の５０％以上後方に延びるものであってもよい。
後方支持部が浮き本体部の後方の縁部よりも後方に延びる寸法は、大きいほど本浮き体の使用者が後方に回動するように倒れることをうまく防止できるが、逆にあまり大きいと本浮き体の取り扱いが困難になるという問題が生じうるので、これらを両立する範囲にされることが好ましく、想定される使用者の体幹の前後方向の寸法の好ましくは５０％以上であり、より好ましくは８０％以上であり、最も好ましくは１００％以上であり、好ましくは５００％以下であり、より好ましくは４００％以下であり、最も好ましくは３００％以下である。
【００２１】
後方支持部具備本浮き体の場合、後方支持部が、前記体幹の左右に一対存するものであってもよい。
使用者の体幹の左右に後方支持部が一対存すれば、左右のいずれからも後方に回動するように倒れることをうまく防止又は減少させることができ、本浮き体をさらに安心して安全に使用することができる。また、使用者の体幹の左右に後方支持部が一対存することにより、該体幹に対して本浮き体が左右に不意に移動することを防止することができるので、本浮き体を一層安心して安全に使用することができる。そして、使用者の体幹の左右に後方支持部が一対存することで、左右から浮力を受けるので、右側方に倒れることや左側方に倒れることも防止又は減少させることができ本浮き体の使用を安心かつ安全ならしめる。
【００２２】
本浮き体においては、浮き本体部が、それを通じて水中が視認可能な窓部を前方の縁部近傍に有するものであってもよい。
こうすることで本浮き体の使用者を観察したり介護する者が、使用者の前方から使用者の水中に存する部分（例えば、脚部や足部）を目視することで該部分の状態を的確に把握することができる。なお、「それを通じて水中が視認可能な窓部」とは、それを通じて水中が視認可能なものであればいかなるものであってもよく何ら限定されないが、例えば、浮き本体部の縁部から入江状に切り欠かれた部分や、浮き本体部の両主表面を連絡するように設けられた開口部分や、浮き本体部の一部又は全部が透明な部材によって形成された部分を例示することができる。
【００２３】
本浮き体においては、本浮き体の移動を規制するための線材又は紐材である規制部材の一端が着脱自在に取り付けられる規制部材取付部を有するもの（以下、「規制部材取付部具備本浮き体」という。）であってもよい。
使用者が水に慣れなかったり身体が不自由な場合には、本浮き体と共に使用者が意図しないように移動することがあり得る。かかる場合には、線材又は紐材である規制部材の一端を本浮き体に取り付けると共に他端を支持物（例えば、水泳プールの壁面等）に取り付けることで、本浮き体の移動を許容し得る範囲に制限することができる。かかる規制部材は使用者の状態や水の状態に応じて要不要が決されるため、必要に応じて取り付けたり取り外しを自由に行うことができるよう、規制部材の一端を着脱自在に取り付けることができる規制部材取付部を本浮き体が有するようにしてもよい。
【００２４】
規制部材取付部具備本浮き体の場合、規制部材取付部が、使用者の体幹の左右に一対存するものであってもよい。
こうすることで使用者の体幹の左右に一対存する規制部材取付部により、使用者の体幹の左右に規制部材を取り付けることで、左右両方からバランス良く本浮き体の移動を制限することができる。
【図面の簡単な説明】
【００２５】
【図１】一実施形態の本発明の浮き体（本浮き体）を示す斜視図である。
【図２】本浮き体の正面図である。
【図３】本浮き体の平面図である。
【図４】本浮き体の底面図である。
【図５】本浮き体の右側面図である。
【図６】本浮き体の左側面図である。
【図７】本浮き体の一使用例を示した使用状態図（一部省略）である。
【発明を実施するための形態】
【００２６】
以下、本発明の実施の形態を図面を参照して説明する。しかしながら、これらによって本発明は何ら制限されるものではない。
【００２７】
図１は、一実施形態の本発明の浮き体（本浮き体）１１を示す斜視図であり、図２は本浮き体１１の正面図（図１中、矢印Ａ方向から見たところを示している）であり、図３は本浮き体１１の平面図（図１中、矢印Ｂ方向から見たところを示している）であり、図４は本浮き体１１の底面図（図１中、矢印Ｃ方向から見たところを示している）であり、図５は本浮き体１１の右側面図（図１中、矢印Ｄ方向から見たところを示している）であり、そして図６は本浮き体１１の左側面図（図１中、矢印Ｅ方向から見たところを示している）である。図１乃至図６を参照して本浮き体１１について説明する。
【００２８】
本浮き体１１は、大まかには、表面２１ａ及び裏面２１ｂを有する板状の浮き本体部２１と、浮き本体部２１の表面２１ａ側に取り付けられた一対のボール体３１ａ、３１ｂと、浮き本体部２１の表面２１ａから突出するように浮き本体部２１に取り付けられた一対のバンド４１ａ、４１ｂと、両端が浮き本体部２１（裏面２１ｂ）に取り付けられた紐体６１と、浮き本体部２１の後方の縁部２１ｅよりも後方に延びる浮きである後方浮き２３、２４と、を備えてなる。
なお、以下の説明において前、後、右、左は、本浮き体１１の使用者（後述の図７においては使用者２０１）から見たときの方向をいい、前を図中の矢印Ｆ１にて、後を図中の矢印Ｆ２にて、右を図中の矢印Ｊ１にて、そして左を図中の矢印Ｊ２にて、それぞれ示した。また、浮き本体部２１と後方浮き２３、２４との境界を、図中の点線Ｐにて示したが、点線Ｐは想像上の線であり、ここでは浮き本体部２１と後方浮き２３、２４とは一体に形成されているので実際にはこのような線（点線Ｐ）は存在しない。
【００２９】
浮き本体部２１は、互いに略平行な表面２１ａ及び裏面２１ｂを有する板状部材によって形成されており、主表面が略長方形の板状形状をした中心部２５と、中心部２５の前縁２５ｃの両端から前方に突出するように形成された一対の突出部２９ａ、２９ｂと、を一体に有してなる。浮き本体部２１は、水泳等に用いられてきた従来のビート板等を形成する材料（例えば、発泡させたポリエチレン樹脂等）によって形成することができる。
そして、浮き本体部２１の前方縁部には、切り欠きである前方切り欠き部２７（窓部）が、突出部２９ａ、２９ｂの間に形成されている。
【００３０】
後方浮き２３、２４は、浮き本体部２１の後方の縁部２１ｅの両端から後方に突出するように一対形成されており（後方浮き２３、２４は互いに略平行であると共に縁部２１ｅから後方へ突出する長さは略同じである）、ここでは後方浮き２３、２４と浮き本体部２１とは同じ材料により一体に形成されている。後方浮き２３、２４の表面２３ａ、２４ａは浮き本体部２１の表面２１ａと同一の平面に略属し、且つ後方浮き２３、２４の裏面２３ｂ、２４ｂは浮き本体部２１の裏面２１ｂと同一の平面に略属するように形成されている。一体に形成された後方浮き２３、２４及び浮き本体部２１全体としては、アルファベットの「Ｈ」の字に似た形状を有している。
後方浮き２３、２４の間には、後述のように使用者の体幹（図１乃至図６においてはいずれも図示せず）を嵌入可能な切り欠きである使用者嵌入切り欠き部２６が形成されている。使用者嵌入切り欠き部２６を規定する縁部のうち表面２１ａ、２３ａ、２４ａ側は使用者の体幹（図１乃至図６においてはいずれも図示せず）が当接することによって該使用者が痛みを感じたり擦過傷の発生を防止するために、角部が面取りされ傾斜面２６ａが形成されている。
そして、使用者嵌入切り欠き部２６の両側に位置する後方浮き２３、２４の部分には、表面２３ａ、２４ａ及び裏面２３ｂ、２４ｂに対して略垂直方向に貫通穴２３ｈ、２４ｈが穿設されている。貫通穴２３ｈ、２４ｈは、本浮き体１１が水面に浮遊した状態で移動を規制するための紐材等（規制部材。ここでは図示せず）の一端を着脱自在に取り付けるための規制部材取付部として機能する。
【００３１】
一対のボール体３１ａ、３１ｂは、いずれも同じ軟式テニスボール（直径約６ｃｍの球体を略形成する）によって形成されており、ボールの表面（球面を略形成する）が浮き本体部２１（突出部２９ａ、２９ｂ）の表面２１ａに取り付けられている。なお、ボール体３１ａ、３１ｂは、後述の如く、使用者嵌入切り欠き部２６に体幹が嵌入された使用者の手（不図示）で容易に把持できるよう浮き本体部２１の突出部２９ａ、２９ｂの前方の端部近傍の表面２１ａに配設されている（具体的には、使用者の右手（不図示）がボール体３１ａを把持すると共に使用者の左手（不図示）がボール体３１ｂを把持する。）。
また、ボール体３１ａ、３１ｂいずれも、想定される使用者の手（不図示）の握力により使用者が認識可能な程度の変形を生じうる柔軟性を有する（例えば、２ｋｇ重程度の力を加えると約２ｃｍ程度の変形を生じる。）。
【００３２】
一対のバンド４１ａ、４１ｂは、いずれも同じ帯状の布製バンドによって形成されている。より詳細には、該布製バンドは、一方の主表面と他方の主表面とを有する帯状の布材と、帯状の布材の一端近傍の該一方の主表面に取り付けられた雄型面ファスナーと、帯状の布材の他端近傍の該他方の主表面に取り付けられた雌型面ファスナーと、を有するので、これら雄型面ファスナーと雌型面ファスナーとを着脱自在に係合させることができる。即ち、これら雄型面ファスナーと雌型面ファスナーとを係合させることで該布製バンドを閉じた環状にすることができると共に、雄型面ファスナーと雌型面ファスナーとの係合を解くことで該環状を分断（開放）することができる。
バンド４１ａは、浮き本体部２１の表面２１ａ及び裏面２１ｂに対して略垂直方向かつ互いに略平行に一対形成されたバンド嵌入スリット（浮き本体部２１の後方の縁部２１ｅに対して略垂直かつ後方浮き２３、２４の長手方向に対して略平行の方向に形成される）に嵌入されることで浮き本体部２１に取り付けられている。バンド４１ａを形成する布製バンドは、両端近傍に有する前記した雄型面ファスナー及び雌型面ファスナーが浮き本体部２１の表面２１ａから突出するよう裏面２１ｂ側に於いて一対のバンド嵌入スリットに掛けわたされるようにバンド嵌入スリットに嵌入されている。このため浮き本体部２１の表面２１ａから突出する雄型面ファスナー及び雌型面ファスナーを互いに係合させると、図１乃至図６に示すようにバンド４１ａと表面２１ａとによって中空の筒（後述のように使用者の右側の前腕を内嵌可能）を形成することができる。また同様に、バンド４１ｂは、浮き本体部２１の表面２１ａ及び裏面２１ｂに対して略垂直方向かつ互いに略平行に一対形成されたバンド嵌入スリット（浮き本体部２１の後方の縁部２１ｅに対して略垂直かつ後方浮き２３、２４の長手方向に対して略平行の方向に形成される）に嵌入されることで浮き本体部２１に取り付けられている。バンド４１ｂを形成する布製バンドは、両端近傍に有する前記した雄型面ファスナー及び雌型面ファスナーが浮き本体部２１の表面２１ａから突出するよう裏面２１ｂ側に於いて一対のバンド嵌入スリットに掛けわたされるようにバンド嵌入スリットに嵌入されている。このため浮き本体部２１の表面２１ａから突出する雄型面ファスナー及び雌型面ファスナーを互いに係合させると、図１乃至図６に示すようにバンド４１ｂと表面２１ａとによって中空の筒（後述のように使用者の左側の前腕を内嵌可能）を形成することができる。
また、バンド４１ａ、４１ｂが形成する該中空の筒の左右方向（右を図中の矢印Ｊ１にて、そして左を図中の矢印Ｊ２にて示した）に関する中心位置Ｙａ、Ｙｂ（図３参照）に対してボール体３１ａ、３１ｂの中心位置は外方に位置している。具体的には、バンド４１ａが形成する該中空の筒の左右方向（矢印Ｊ１、矢印Ｊ２）に関する中心位置Ｙａよりもボール体３１ａの中心位置は右方向（矢印Ｊ１方向）に位置すると共に、バンド４１ｂが形成する該中空の筒の左右方向（矢印Ｊ１、矢印Ｊ２）に関する中心位置Ｙｂよりもボール体３１ｂの中心位置は左方向（矢印Ｊ２方向）に位置している。これは体に麻痺が生じた使用者は、その左右の手首が内方（即ち、右手首は左方、左手首は右方）に曲がった状態になりやすいことから、後述のように左右両方の前腕をバンド４１ａ、４１ｂにて固定した状態で使用者の左右の手によってボール体３１ａ、３１ｂを把持することによって左右の手首を外方に戻すリハビリテーション効果を奏するようにするためである。
【００３３】
紐体６１は、本浮き体１１を保管等する場合に吊り下げるために用いられたり、本浮き体１１の使用者を介護する介護者（不図示）が本浮き体１１を水中にて移動させるため引っ張って用いるものであり、紐体６１の両端は浮き本体部２１（ここでは突出部２９ａ、２９ｂ）の裏面２１ｂに取り付けられている。
【００３４】
図７は、図１乃至図６に示した本浮き体１１の一使用例を示した図である。ここでは本浮き体１１は、水中１０１に下半身が潜入した使用者２０１の水中１０１における運動（ここではリハビリテーションとしての水中歩行運動）を安全かつ容易に行わせしめるため用いられている。
図７のような状態にするには、まず、水中１０１に下半身が潜入した使用者２０１の腹部２０３（腹部と胸部とを含む体幹の一部）を使用者嵌入切り欠き部２６に嵌入させる。そして、使用者２０１の左右両方の前腕（右前腕２０５を図７中に示した）を表面２１ａに載置し、使用者２０１の左右の手によってボール体３１ａ、３１ｂをうまく把持した位置で、使用者２０１の左右両方の前腕をバンド４１ａ、４１ｂにて固定する（バンド４１ａ、４１ｂを構成する布製バンドが有する雄型面ファスナー及び雌型面ファスナーの係合を解いた状態でバンド４１ａ、４１ｂを該両方の前腕に周回させた後、雄型面ファスナー及び雌型面ファスナーを係合させる（前腕の周囲長さに応じ雄型面ファスナー及び雌型面ファスナーの係合位置を調整することができる）ことで、使用者２０１の左右両方の前腕をバンド４１ａ、４１ｂにて固定する。）。以上のようにして図７のように使用者２０１に対して本浮き体１１を固定する。なお、この状態から、使用者２０１の左右両方の前腕を固定したバンド４１ａ、４１ｂの雄型面ファスナー及び雌型面ファスナーの係合を解けば、使用者２０１に対して本浮き体１１を簡単に取り外すことができる。
【００３５】
図７に示した状態は、本浮き体１１は水面１０３近傍に浮遊しており、本浮き体１１の一部が水中１０１に潜入することで使用者２０１に浮力を与えている。使用者２０１の腹部２０３は使用者嵌入切り欠き部２６に前後方向（矢印Ｆ１、Ｆ２）の全部が嵌入されると共に、使用者２０１の右側の前腕２０５は表面２１ａに密接した状態で環状のバンド４１ａ（バンド４１ａを構成する布製バンドが有する雄型面ファスナー及び雌型面ファスナーは係合している。）に内嵌されており、そして使用者２０１の右側の手２０７はボール体３１ａを把持している。そして図７には表れていないが、同様に、使用者２０１の左側の前腕も表面２１ａに密接した状態で環状のバンド４１ｂ（バンド４１ｂを構成する布製バンドが有する雄型面ファスナー及び雌型面ファスナーは係合している。）に内嵌されており、そして使用者２０１の左側の手はボール体３１ｂを把持している。
かかる状態においては、使用者２０１に対して本浮き体１１が前後方向（矢印Ｆ１、Ｆ２）に移動することは、腹部２０３（体幹）前面が使用者嵌入切り欠き部２６を規定する縁（浮き本体部２１の後方の縁部２１ｅ）に当接すること、使用者２０１の手によるボール体３１ａ、３１ｂの把持、そして使用者２０１の前腕のバンド４１ａ、４１ｂによる固定により確実に制限されると共に、使用者２０１に対して本浮き体１１が左右方向（矢印Ｊ１、Ｊ２）に移動することは、腹部２０３（体幹）側面が使用者嵌入切り欠き部２６を規定する縁（主として後方浮き２３、２４の内面）に当接すること、使用者２０１の手によるボール体３１ａ、３１ｂの把持、そして使用者２０１の前腕のバンド４１ａ、４１ｂによる固定により確実に制限されるので、使用者２０１に対して本浮き体１１が前後左右のいずれの方向へも所定範囲を超えて不意に移動することを確実に制限できる。
【００３６】
図７のように、使用者２０１の両手がボール体３１ａ、３１ｂを把持し、使用者２０１の両前腕が表面２１ａに密接した状態で環状のバンド４１ａ、４１ｂに内嵌されると共に、使用者２０１の腹部２０３が使用者嵌入切り欠き部２６に嵌入されることで使用者２０１に対して本浮き体１１が確実に固定されるので、本浮き体１１により使用者２０１に所定の浮力を与え使用者２０１の水中１０１における運動（ここではリハビリテーションとしての水中１０１における歩行運動等）を安全かつ容易に行うことができる。そして、ボール体３１ａ、３１ｂを把持した使用者２０１の両手に力を入れることでボール体３１ａ、３１ｂを変形させる運動を行うことで、使用者２０１の手に関しても運動（リハビリテーションとしての手の把持運動）を行うことができる。また、使用者２０１を介護する介護者（不図示）は、使用者２０１の前方から前方切り欠き部２７を通じて使用者２０１の脚部や足部の状態を観察することができる（図７中、この観察時における該介護者の視線を矢印Ｋにて示した）。
【００３７】
以上説明のように、本浮き体１１は、使用者２０１の前腕に係合し、少なくとも一部が水中１０１に潜入することで使用者２０１に浮力を与える浮き体であって、板状部材によって形成される浮き本体部２１と、浮き本体部２１の一主表面たる表面２１ａに載置した使用者２０１の両方の前腕の少なくとも一方（ここでは両方）に係合する、浮き本体部２１に別体又は一体（ここでは別体）に形成された腕係合部たるバンド４１ａ、４１ｂと、を備えてなる、浮き体である。
そして、本浮き体１１においては、腕係合部たるバンド４１ａ、４１ｂは、前記少なくとも一方（ここでは両方）の前腕を貫通するよう内嵌させる腕内嵌部である。さらに、この腕内嵌部は、浮き本体部２１の前記一主表面（表面２１ａ）に取り付けられ、前記少なくとも一方（ここでは両方）の前腕の少なくとも一部に周回されるバンド４１ａ、４１ｂである。
【００３８】
本浮き体１１は、使用者２０１の腕係合部（バンド４１ａ、４１ｂ）が係合した前腕に係る手によって把持される、浮き本体部２１に別体又は一体（ここでは別体）に形成された把持部たるボール体３１ａ、３１ｂを、さらに備えてなる。
そして、把持部（ボール体３１ａ、３１ｂ）が、浮き本体部２１の前記一主表面（表面２１ａ）から突出するように前記一主表面（表面２１ａ）に取り付けられた突出把持部である。
さらに、この突出把持部（ボール体３１ａ、３１ｂ）がここでは球の形状をなすものであるが、中心を通過しない平面により球面を切断した際の２の球冠のうち大きな方の球冠の形状をなすようにしてもよい。
加えて、把持部（ボール体３１ａ、３１ｂ）が、使用者２０１の手の握力により使用者２０１が認識可能な程度の変形を生じうる柔軟性を有するものである。
【００３９】
本浮き体１１においては、腕係合部（バンド４１ａ、４１ｂ）が、使用者２０１の両方の前腕に対応するように一対配設されるものである（具体的には、バンド４１ａが右前腕に対応し、バンド４１ｂが左前腕に対応する。）。
本浮き体１１においては、把持部（ボール体３１ａ、３１ｂ）が、使用者２０１の両方の前腕に対応するように一対配設されるものである（具体的には、ボール体３１ａが右前腕に対応し、ボール体３１ｂが左前腕に対応する。）。
そして本浮き体１１においては、使用者２０１の両方の前腕が前後方向（矢印Ｆ１、Ｆ２）に沿って浮き本体部２１の前記一主表面（表面２１ａ）に載置されており、特にここでは使用者２０１の両方の前腕が前後方向（矢印Ｆ１、Ｆ２）に沿って略平行に浮き本体部２１の前記一主表面（表面２１ａ）に載置されている。
【００４０】
本浮き体１１は、浮き本体部２１の後方（矢印Ｆ２方向）の縁部２１ｅよりも後方（矢印Ｆ２方向）に延びる浮きである後方支持部たる後方浮き２３、２４をさらに備えてなる。ここでは後方浮き２３、２４と浮き本体部２１とは一体に形成されている。
ここでは後方支持部たる後方浮き２３、２４が、使用者２０１の体幹の前後方向の寸法（図７中、寸法Ｍ）の５０％以上後方に延びるものである。具体的には、図７に示すように後方支持部たる後方浮き２３、２４は、浮き本体部２１の後方（矢印Ｆ２方向）の縁部２１ｅよりも後方（矢印Ｆ２方向）に寸法Ｎだけ延びているが、後方支持部たる後方浮き２３、２４の間に形成された使用者嵌入切り欠き部２６に嵌入された使用者２０１の体幹（ここでは腹部２０３）の前後方向の寸法Ｍに対する寸法Ｎの割合（１００×Ｎ／Ｍ）は、前述の如く、好ましくは５０％以上であり、より好ましくは８０％以上であり、最も好ましくは１００％以上であり、好ましくは５００％以下であり、より好ましくは４００％以下であり、最も好ましくは３００％以下である。
加えて、本浮き体１１においては、後方支持部たる後方浮き２３、２４が、前記体幹（ここでは腹部２０３）の左右に一対存するものである（後方浮き２３が右側に、そして後方浮き２４が左側に、それぞれ存する）。
【００４１】
本浮き体１１においては、浮き本体部２１が、それを通じて水中１０１が視認可能な窓部たる前方切り欠き部２７を前方の縁部近傍に有する。
本浮き体１１は、本浮き体１１の移動を規制するための線材又は紐材である規制部材の一端が着脱自在に取り付けられる規制部材取付部たる貫通穴２３ｈ、２４ｈを有するものである（線材又は紐材である規制部材を貫通穴２３ｈ、２４ｈに貫通させて取り付ける。）。そして、規制部材取付部たる貫通穴２３ｈ、２４ｈが、使用者２０１の体幹（ここでは腹部２０３）の左右に一対存するものである（貫通穴２３ｈが右側に、貫通穴２４ｈが左側に、それぞれ存する）。
【符号の説明】
【００４２】
１１            本浮き体
２１            浮き本体部
２１ａ          表面
２１ｂ          裏面
２１ｅ          後方の縁部
２３、２４      後方浮き
２３ａ、２４ａ  表面
２３ｂ、２４ｂ  裏面
２３ｈ、２４ｈ  貫通穴
２５            中心部
２５ｃ          前縁
２６            使用者嵌入切り欠き部
２６ａ          傾斜面
２７            前方切り欠き部
２９ａ、２９ｂ  突出部
３１ａ、３１ｂ  ボール体
４１ａ、４１ｂ  バンド
６１            紐体
１０１            水中
１０３            水面
２０１            使用者
２０３            腹部
２０５            右前腕
２０７            右側の手
【図１】
2010259557.tif 000003
【図２】
2010259557.tif 000004
【図３】
2010259557.tif 000005
【図４】
2010259557.tif 000006
【図５】
2010259557.tif 000007
【図６】
2010259557.tif 000008
【図７】
2010259557.tif 000009